(57)【要約】【課題】入浴後の浴槽内部に発生する雑菌、垢、ぬめりや異臭がなくして、ぬめりを抑制する器具を提供することにある。【解決手段】蛇腹状に加工した銅板を収納した合成樹脂製容器につばを付け、同寸の蓋を重ね合わせ、合成樹脂製容器内に収容する蛇腹状の銅板は、矩形波状に10〜30mmの高さをとし、波幅を２〜3mmに折り曲げ加工すると同一容器内の銅板表面積を１０００ｃｍ２〜１２０００ｃｍ２に増し、この合成樹脂製容器の開口率３０％〜８０％であって、風呂水の流通・接触が妨げられないようにして、銅板の殺菌効果による脱臭、ぬめり抑制の効果を持続させられる蛇腹状銅板入りの合成樹脂製容器である。【選択図】  図１
2007195860.tif 000002
【特許請求の範囲】
【請求項１】
浴槽内に設置して使用する浴槽用脱臭とぬめりを抑制することにおいて、浴槽水が流通・接触しやすいように多くの開口をあけた合成樹脂製の容器内に蛇腹状に折り曲げた銅板を収容していることを特徴とする浴槽用脱臭・ぬめり抑制器。
【請求項２】
請求項１において合成樹脂製の容器は熱可塑性合成樹脂であるポリ塩化ビニル、ポリスチレン、ポリエチレン、ポリプロピレン、ナイロン、ポリエステルの樹脂であり、合成樹脂製容器の形状は厚さ１０ｍｍ〜５０ｍｍの円筒形、長方形、正方形あるいは多角形であって、容器の開口率は全容器の３０〜８０％であって、さらにその開口の穴の形状は円形、四角形、三角形、星型、人形、魚型であることを特徴とする浴槽用脱臭・ぬめり抑制器。
【請求項３】
請求項１において蛇腹状の銅板は0.1mm〜2mm厚さの銅板を矩形波状に１０ｍｍ〜３０ｍｍの高さに折り曲げ加工し、銅板の表面積１０００〜１２０００センチ平方メートルを有し、銅板表面の凹凸を１〜１００ミクロンの溝と傷をつけて比表面積を増大させたものを使用することを特徴とする浴槽用脱臭・ぬめり抑制器。
【請求項４】
蛇腹状に折り曲げ加工した銅板を収納した合成樹脂製容器につばを付け、同寸の蓋を重ね合わせ、吸盤を取り付けて蓋が開かないように止めピンで固定したもので、蛇腹状銅板を収納し吸盤を取り付けた合成樹脂製は浴槽内で入浴時邪魔にならない場所に吸盤で固定することを特徴とする浴槽用脱臭・ぬめり抑制器。
【発明の詳細な説明】
【技術分野】
【０００１】
本発明は浴槽水の改善浄化を図るものであり、脱臭及びぬめりを抑制する水質向上、改善器である。
【０００２】
最近、家族の老齢化や少子化によって入浴人員が少なくなる傾向がある。この為に浴槽
の洗浄や水の入れ替えを怠りがちになってくる。これにより、入浴後の浴槽内は垢や毛
髪等による汚れが付着し、異臭やぬめりが発生する為次回入浴時に不快感を感じている。
【背景技術】
【０００３】
近年、銅は抗菌、殺菌作用があり、垢等の脂肪含有成分を分解することが認知されてき
ている。（非特許文献１参照）これらの効果を利用して、風呂水に漬ける抗菌具が知られて
いる。これらの抗菌具は、極細銅線を繊維状（特許文献１参照）にしたり、粒状（特許文
献２参照）あるいは板状（特許文献３参照）にしたのが見受けられる。
【特許文献１】特開２００１−４７０５８号
【特許文献２】特開平１１−１８８３６８号
【特許文献３】実開平９−５４３８号
【非特許文献１】(社)日本銅センター  銅の抗菌性  （http://www.jcda.or.jp）
【発明の開示】
【発明が解決しようとする課題】
【０００４】
しかしながら、長期間継続使用すると、浴槽内に残存するタオル等の繊維屑、毛髪等の
屑や人の垢等が極細銅線や粒状銅片に付着し、これらを除去するのが困難であり、殺菌、
抗菌効果が低下して、お湯水のにごりと臭い、また浴槽のぬめりを生ずるという問題がある。
【０００５】
本発明の目的は、繊維屑、毛髪等のゴミがつきにくく、掃除のしやすい浴槽に銅の殺菌効果による脱臭とぬめり抑制を行う浄化装置を提供することを目的とする
【課題を解決するための手段】
【０００６】
上記目的を達成する為に本発明は常時、浴槽水中に漬けて使用するもので、風呂水が
流通する複数の切り抜き孔を有する熱可塑性合成樹脂製容器内に容器から逸脱しない大きさにして、表面積を高めた蛇腹状銅板を入れたことを特徴としたものである。
浴槽内に設置して脱臭とぬめりを抑制することにおいて、浴槽水が流通・接触しやすいように多くの穴をあけた合成樹脂製の容器内に蛇腹状に折り曲げた銅板を収容した浴槽用脱臭・ぬめり抑制器である。
この発明の合成樹脂製の容器は熱可塑性合成樹脂であるポリ塩化ビニル、ポリスチレン、ポリエチレン、ポリプロピレン、ナイロン、ポリエステルの樹脂であり、合成樹脂製容器の形状は入浴時に抵抗感のない大きさで厚さ１０ｍｍ〜５０ｍｍの円筒形、長方形、正方形あるいは多角形であり、容器の開口率は浴槽水の流通を妨げない面積として容器の全表面積の３０〜８０％とし、さらにその開口した穴の形状は円形、四角形、三角形、星型、人形、魚型である。その合成樹脂製容器の厚さは１０ｍｍ以下では蛇腹状の銅の表面積をあげることができない。また５０ｍｍ以上になると容積が大きくなり、入浴時に邪魔になる。また合成樹脂性の容器表面積における開口率は重要であり、出来るだけ大きい方が好ましいが、しかし蛇腹状の銅板を保持することが難しくなる。５０％〜７０％が最も望ましい。
蛇腹状の銅板は折り曲げ加工のし易い0.1mm〜2mm厚さの銅板を矩形波状に波高１０ｍｍ〜４０ｍｍ、幅2〜３ｍｍに折り曲げ加工し、銅板の表面積１０００〜１２０００センチ平方メートルを有し、銅表面の凹凸を１〜１００ミクロンの溝、傷をつけて比表面積を増大させたものを使用する。蛇腹状の銅は重量を少なくして、その表面積を出来るだけ大きくして、一定の容積の中で比表面積を増大させることが大切である。この銅の厚さが範囲以外であると蛇腹状の加工が難しくなり、さらに薄い場合に溝、傷加工により破損したり、厚い場合に全体の重量を増大させることになる。また蛇腹状における矩形波状の高さは合成樹脂製の容器に挿入することで、容器の厚さ以内に一杯の厚さにすることが好ましい。また銅の表面積は一般家庭の浴槽の容積１５０リットル〜５００リットルとしては１０００〜１２０００センチ平方メートルであるが、この表面積が高い方が効果的である。一般には２０００センチ平方メートル以上の表面積の銅を使用することが好ましい。この点において銅の比表面積を向上して、銅板の殺菌効果を高めるために銅表面における研磨加工、化学的加工、機械加工により数ミクロン以上の凹凸の溝と傷をつけることが重要な要素になる。
蛇腹状に折り曲げ加工した銅板を収納した合成樹脂製容器につばを付け、同寸の蓋を重ね合わせ、吸盤を取り付けて蓋が開かないように止めピンで固定したもので蛇腹状銅板を収納し吸盤を取り付けた合成樹脂製は浴槽内で入浴時邪魔にならない場所に吸盤で固定する。また吸盤を取り付けることが困難な場合には、あるいは浴槽内面に取り付けが不可能な場合は、浴室の壁面に取り付けた吊り下げ金具等で紐あるいは細い金属製の鎖にて吊り下げて使用することもできる。
【０００７】
合成樹脂容器は軽量で、形状も自由に成形出来、切り抜き孔も蛇腹状銅板が逸脱しない範囲で如何なる形でも切り抜き可能である。
【発明の効果】
【０００８】
本発明品は、銅板を蛇腹状にして、しかも溝、傷をつけて銅の全体の比表面積が大幅に拡大し、銅の殺菌効果による消臭、ぬめり抑制等の効果が大であり、収納容器を合成樹脂化したことにより、外観形状をよりデザイン化して、さらに取り扱いも簡単容易であるから、メンテナンスも容易に出来、繰り返し再生使用出来る。
【実施例１】
【０００９】
２００リットルの浴槽を使用した４人家族（大人２名、子供２名）の家庭で、開口率５０％のポリエチレン合成樹脂の容器（厚さ３０ｍｍ、横１５０、縦３００ｍｍ）に、高さ２０ｍｍの蛇腹状銅板で、表面積８０００センチ平方メートルである銅板にサンドペーパーにより十分に研磨して表面積を数ミクロンの溝・傷をつけたものを使用した長方形型浴槽用脱臭・ぬめり抑制器を使用した。また合成樹脂性の容器における開口部分は魚模様の形状を空けて、外観のデザイン性を高めている。この脱臭・ぬめり抑制器を使用したところ、表１、表２の結果を得た。
【表１】
2007195860.tif 000003
【表２】
2007195860.tif 000004
表１、表２のように脱臭・ぬめり抑制器を使用すれば、使用しない場合と比較すると浴槽の湯のにごり、臭い、ぬめりの抑制する効果を示した。
【実施例２】
【００１０】
１５０リットルの浴槽を使用した３人家族（大人２名、子供１名）の家庭で、開口率７０％のポリエチレン合成樹脂の容器（厚さ３０ｍｍ、横２００ｍｍ、縦３００ｍｍ）に、高さ２０ｍｍの蛇腹状銅板で、表面積６０００センチ平方メートルである銅板にサンドペーパーにより十分に研磨して表面積を数ミクロンの溝・傷をつけたものを使用した長方形型浴槽用脱臭・ぬめり抑制器を使用した。また合成樹脂性の容器における開口部分は魚模様の形状を空けて、外観のデザイン性を高めている。この脱臭・ぬめり抑制器を使用したところ、表３、表４の結果を得た。
【表３】
2007195860.tif 000005
【表４】
2007195860.tif 000006
実施例１と同様に脱臭・ぬめり器の効果があった。この３人家族の浴室では、浴室内のカビの発生が少なくなってきた。
【実施例３】
【００１１】
２００リットルの浴槽を使用した２人家族（大人２名）の家庭で、開口率５０％のポリエチレン合成樹脂の容器（厚さ２５ｍｍ、横１５０、縦３００ｍｍ）に、高さ２０ｍｍの蛇腹状銅板で、表面積５０００センチ平方メートルである銅板にサンドペーパーにより十分に研磨して表面積を数ミクロンの溝・傷をつけたものを使用した長方形型浴槽用脱臭・ぬめり抑制器を使用した。また合成樹脂性の容器における開口部分は魚模様の形状を空けて、外観のデザイン性を高めている。この脱臭・ぬめり抑制器を使用したところ、表５、表６の結果を得た。
【表５】
2007195860.tif 000007
【表６】
2007195860.tif 000008
以上、実施例１，２，３の結果が示すように浴槽用脱臭・ぬめり抑制器が脱臭、にこり、におい、ぬめりを防止する効果を示すことが確認できた。
各家族とも風呂水が以前より湯水はきれいになった。浴槽の内面がぬるぬるしなくなり、臭いもしなくなった。また、ある家族では浴室内のカビが増えてこないという結果を得た。
【産業上の利用可能性】
【００１２】
本発明では、浴槽の大きさによってこの脱臭・ぬめり抑制の設置数を増やせばよい。又、防火水槽等に投入しておけばボーフラやあおこの発生を防ぐ効果もある。銅板を蛇腹状に加工することで，容器の開口率を高めることができて、銅の無駄な切りくず等を使用しないことが特徴である。
【図面の簡単な説明】
【００１３】
【図１】本発明に係る浴槽用脱臭・ぬめり抑制器の実施の形態を示す一部断面斜視図。
【図２】銅板製蛇腹の断面図。
【図３】本発明に係る浴槽用脱臭・ぬめり抑制器の取り付け、使用状態を示す説明図。
【符号の説明】
【００１４】
１  熱可塑性合成樹脂製容器
２  銅板製蛇腹
３  熱可塑性合成樹脂製容器蓋
４  吸盤
５  側面開口孔
６  吸盤固定ピン
７  熱可塑性合成樹脂製容器前面開口孔
８  熱可塑性合成樹脂製容器後面開口孔
９  浴槽
１０  浴槽水面
１１  脱臭・ぬめり抑制器の浴槽内設置例
【図１】
2007195860.tif 000009
【図２】
2007195860.tif 000010
【図３】
2007195860.tif 000011
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
浴槽内に設置して使用する浴槽用脱臭とぬめりを抑制することにおいて、浴槽水が流通・接触しやすいように多くの開口をあけた合成樹脂製の容器内に蛇腹状に折り曲げた銅板を収容していることを特徴とする浴槽用脱臭・ぬめり抑制器。
【請求項２】
請求項１において合成樹脂製の容器は熱可塑性合成樹脂であるポリ塩化ビニル、ポリスチレン、ポリエチレン、ポリプロピレン、ナイロン、ポリエステルの樹脂であり、合成樹脂製容器の形状は厚さ１０ｍｍ〜５０ｍｍの円筒形、長方形、正方形あるいは多角形であって、容器の開口率は全容器の３０%〜８０％であって、さらにその開口の穴の形状は円形、四角形、三角形、星型、人形、魚型であることを特徴とする浴槽用脱臭・ぬめり抑制器。
【請求項３】
請求項１において蛇腹状の銅板は0.1ｍｍ〜２ｍｍ厚さの銅板を矩形波状に１０ｍｍ〜３０ｍｍの高さに折り曲げ加工し、銅板の表面積１０００〜１２０００ｃｍ２を有し、銅板表面の凹凸を１〜１００ミクロンの溝と傷をつけて比表面積を増大させたものを使用することを特徴とする浴槽用脱臭・ぬめり抑制器。
【請求項４】
蛇腹状に折り曲げ加工した銅板を収納した合成樹脂製容器につばを付け、同寸の蓋を重ね合わせ、吸盤を取り付けて蓋が開かないように止めピンで固定したもので、蛇腹状銅板を収納し吸盤をとりつけた合成樹脂製容器は浴槽内で入浴時邪魔にならない場所に吸盤で固定することを特徴とする浴槽用脱臭・ぬめり抑制器。
【手続補正２】
【補正対象書類名】明細書
【補正対象項目名】全文
【補正方法】変更
【補正の内容】
【発明の詳細な説明】
【技術分野】
【０００１】
本発明は浴槽水の改善浄化を図るものであり、脱臭及びぬめりを抑制する水質向上、改善器である。
【０００２】
最近、家族の老齢化や少子化によって入浴人員が少なくなる傾向がある。このために浴槽の洗浄や水の入れ替えを怠りがちになってくる。これにより、入浴後の浴槽内は垢や毛髪等による汚れが付着し、異臭やぬめりが発生する為次回入浴時に不快感を感じている。
【背景技術】
【０００３】
近年、銅は抗菌、殺菌作用があり、垢等の脂肪含有成分を分解することが認知されてきている。（非特許文献１参照）これらの効果を利用して、風呂水に漬ける抗菌具が知られている。これらの抗菌具は、極細銅線を繊維状（特許文献１参照）にしたり、粒状(特許文献２参照)あるいは板状（特許文献３参照）にしたものが見受けられる。
【特許文献１】特開２００１−４７０５８号
【特許文献２】特開平１１−１８８３６８号
【特許文献３】実開平９−５４３８号
【非特許文献１】（社）日本銅センター  銅の抗菌性  (http://www.jcda.or.jp)
【発明の開示】
【発明が解決しようとする課題】
【０００４】
しかしながら、長期間継続使用すると、浴槽内に残存するタオル等の繊維屑、毛髪等の屑や人の垢等が極細銅線や粒状銅片に付着し、これらを除去するのが困難であり、殺菌、抗菌効果が低下して、お湯水のにごりと臭い、また浴槽のぬめりを生ずるという問題がある。
【０００５】
本発明の目的は、繊維屑、毛髪等のゴミがつきにくく、掃除のしやすい浴槽に銅の殺菌効果による脱臭とぬめり抑制を行う浄化装置を提供することを目的とする。
【課題を解決するための手段】
【０００６】
上記目的を達成する為に本発明は常時、浴槽水中に漬けて使用するもので、風呂水が流通する複数の切り抜き孔を有する熱可塑性合成樹脂製容器に容器から逸脱しない大きさにして、表面積を高めた蛇腹状銅板を入れたこと特徴としたものである。
浴槽内に設置して脱臭とぬめりを抑制することにおいて、浴槽水が流通・接触しやすいように多くの穴をあけた合成樹脂製の容器内に蛇腹状に折り曲げた銅板を収容した浴槽用脱臭・ぬめり抑制器である。
この発明の合成樹脂製の容器は熱可塑性合成樹脂であるポリ塩化ビニル、ポリスチレン、ポリエチレン、ポリプロピレン、ナイロン、ポリエステルの樹脂であり、合成樹脂製容器の形状は入浴時に抵抗感のない大きさで厚さ１０ｍｍ〜５０ｍｍの円筒形、長方形、正方形あるいは多角形であり、容器の開口率は浴槽水の流通を妨げない面積として容器の全表面積の３０％〜８０％とし、さらにその開口した穴の形状は円形、四角形、三角形、星型、人形、魚型である。その合成樹脂製容器の厚さは１０ｍｍ以下で蛇腹状の銅板の表面積をあげることが出来ない。又５０ｍｍ以上になると容積が大きくなり、入浴時に邪魔になる。
また合成樹脂製の容器表面積における開口率は重要であり、出来るだけ大きい方が好ましいが、しかし蛇腹状の銅板を保持することが難しくなる。５０〜７０％が最も望ましい。
蛇腹状の銅板は折り曲げ加工し易い0.1ｍｍ〜2ｍｍ厚さの銅板を矩形波状に波高１０
mm〜４０ｍｍ、幅２〜３ｍｍに折り曲げ加工し、銅板の表面積１０００〜１２０００ｃｍ２を有し、銅板表面の凹凸を１〜１００ミクロンの溝、傷をつけて比表面積を増大させたものを使用する。蛇腹状の銅板は重量を少なくして、その表面積を出来るだけ大きくして、一定の容積の中で比表面積を増大させることが大切である。この銅板の厚さが範囲以外であると蛇腹状の加工が難しくなり、さらに薄い場合に溝、傷加工により破損したり、厚い場合に全体の重量を増大させることになる。また蛇腹状における矩形波状の高さは合成樹脂製の容器に挿入することで、容器の厚さ以内に一杯の厚さにすることが好ましい。また銅板の表面積は一般家庭の浴槽の容積１５０リットル〜５００リットルに対しては１０００ｃｍ２〜１２０００ｃｍ２であるが、この表面積が高い方が効果的である。一般には２０００ｃｍ２以上の表面積の銅板を使用することが好ましい。この点において銅板の比表面積を向上して、銅の殺菌効果を高めるために銅板表面に研磨加工、科学的加工、機械加工により数ミクロン以上の凹凸の溝と傷をつけることが重要な要素になる。
蛇腹状に折り曲げ加工した銅板を収納した合成樹脂製容器につばを付け、同寸の蓋を重ね合わせ、吸盤を取り付けて蓋が開かないように止めピンで固定したもので蛇腹状銅板を収納し吸盤を取り付けた合成樹脂製容器は浴槽内で入浴時邪魔にならない場所に吸盤で固定する。または吸盤を取り付けることが困難な場合、あるいは浴槽内面に取り付けが不可能な場合は、浴室の壁面に取り付けた吊り下げ金具等で紐あるいは細い金属製の鎖にて吊り下げて使用することもできる。
【０００７】
合成樹脂製容器は軽量で、形状も自由に成形出来、切抜き孔も蛇腹状銅板が逸脱しない範囲で如何なる形でも切り抜き可能である。
【発明の効果】
【０００８】
本発明品は、銅板を蛇腹状にして、しかも溝、傷をつけて銅板全体の比表面積が大幅に拡大し、銅の殺菌効果による消臭、ぬめり抑制等の効果が大であり、収納容器を合成樹脂化したことにより、外観形状をよりデザイン化して、さらに取り扱いも簡単容易であるから、メンテナンスも容易に出来、繰り返し再生使用出来る。
【実施例１】
【０００９】
２００リットルの浴槽を使用した４人家族（大人２名、子供２名）の家庭で、開口率６０％のポリエチレン合成樹脂の容器（厚さ３０ｍｍ、横１５０ｍｍ、縦３００ｍｍ）に、高さ２０ｍｍの蛇腹状銅板で、表面積８０００ｃｍ２である銅板にサンドペーパーにより十分に研磨して表面に数ミクロンの溝・傷をつけたものを使用した長方形型浴槽用脱臭・ぬめり抑制器を使用した。また、合成樹脂製の容器における開口部分は魚模様の形状を開けて、外観のデザイン性を高めている。この脱臭・ぬめり抑制器を使用したところ、表１、表２の結果を得た。
【表１】
2007195860.tif 000012
【表２】
2007195860.tif 000013
表１、表２のように脱臭・ぬめり抑制器を使用すれば、使用しない場合と比較すると浴槽の湯のにごり、臭い、ぬめりの抑制する効果を示した。
【実施例２】
【００１０】
１５０リットルの浴槽を使用した３人家族（大人２名、子供１名）の家庭で、開口率７０％のポリエチレン合成樹脂の容器（厚さ３０ｍｍ、横２００ｍｍ、縦２５０ｍｍ）に、高さ２０ｍｍの蛇腹状銅板で、表面積６０００ｃｍ２である銅板にサンドペーパーにより十分に研磨して表面に数ミクロンの溝・傷をつけたものを使用した長方形型浴槽用脱臭・ぬめり抑制器を使用した。また、合成樹脂製の容器における開口部分は魚模様の形状を開けて、外観のデザイン性を高めている。この脱臭・ぬめり抑制器を使用したところ、表３、表４の結果を得た。
【表３】
2007195860.tif 000014
【表４】
2007195860.tif 000015
実施例１と同様に脱臭・ぬめり抑制器の効果があった。この３人家族の浴室では、浴室内のカビの発生が少なくなってきた。
【実施例３】
【００１１】
２００リットルの浴槽を使用した２人家族（大人２名）の家庭で、開口率５０％のポリエチレン合成樹脂の容器（厚さ３０ｍｍ、横１５０ｍｍ、縦３００ｍｍ）に、高さ２０ｍｍの蛇腹状銅板で、表面積５０００ｃｍ２である銅板にサンドペーパーにより十分に研磨して表面に数ミクロンの溝・傷をつけたものを使用した長方形型浴槽用脱臭・ぬめり抑制器を使用した。また、合成樹脂製の容器における開口部分は魚模様の形状を開けて、外観のデザイン性を高めている。この脱臭・ぬめり抑制器を使用したところ、表５、表６の結果を得た。
【表５】
2007195860.tif 000016
【表６】
2007195860.tif 000017
以上、実施例１、２、３の結果が示すように浴槽用脱臭・ぬめり抑制器が脱臭、にごり、におい、ぬめりを防止する効果を示すことが確認できた。
各家族とも風呂水がいぜんより湯水がきれいになった。浴槽の内面がぬるぬるしなくなり、臭いもしなくなった。また、ある家族では浴室内のカビが増えてこないという結果を得た。
【産業上の利用可能性】
【００１２】
本発明では、浴槽の大きさによってこの脱臭・ぬめり抑制器の設置数を増やせばよい。又、防火水槽等に投入しておけばボーフラやあおこの発生を防ぐ効果もある。銅板を蛇腹状に加工することで、容器の開口率を高めることができて、銅の無駄な切りくず等がすくなくなることが特徴である。
【図面の簡単な説明】
【００１３】
【図１】本発明に係る浴槽用脱臭・ぬめり抑制器の実施の形態を示す一部断面斜視図。
【図２】銅板製蛇腹の断面図。
【図３】本発明に係る浴槽用脱臭・ぬめり抑制器の取り付け、使用状態を示す説明図。
【符号の説明】
【００１４】
１  熱可塑性合成樹脂製容器
２  銅板製蛇腹
３  熱可塑性合成樹脂製容器蓋
４  吸盤
５  側面開口孔
６  吸盤固定ピン
７  熱可塑性合成樹脂製容器前面開口孔
８  熱可塑性合成樹脂製容器後面開口孔
９  浴槽
１０  浴槽水面
１１  脱臭・ぬめり抑制器の浴槽内設置例